(57)【要約】  アプリケーション管理装置１０は、オフラインＷｅｂアプリケーションを管理するための装置である。アプリケーション管理装置１０は、Ｗｅｂサーバ４０から、オフラインＷｅｂアプリケーションのリソースを取得し、取得したリソースを用いてオフラインＷｅｂアプリケーションを実行する、Ｗｅｂアプリケーション実行部１１と、Ｗｅｂアプリケーション実行部１１によって取得されたリソースを格納する、リソース格納部１２と、リソース格納部１２に格納されたリソースを管理する、リソース管理部１３とを備えている。
2013042411.tif 000002
【特許請求の範囲】
【請求項１】
オフラインＷｅｂアプリケーションを管理するための装置であって、
Ｗｅｂサーバから、前記オフラインＷｅｂアプリケーションのリソースを取得し、取得したリソースを用いて前記オフラインＷｅｂアプリケーションを実行する、Ｗｅｂアプリケーション実行部と、
前記Ｗｅｂアプリケーション実行部によって取得された前記リソースを格納する、リソース格納部と、
前記リソース格納部に格納された前記リソースを管理する、リソース管理部と、
を備えている、ことを特徴とするアプリケーション管理装置。
【請求項２】
前記オフラインＷｅｂアプリケーションによって作成又は使用されたデータを格納する、データ格納部と、
前記Ｗｅｂサーバにおいて、前記データ格納部に格納されている前記データに対応するデータが、更新されているかどうかを判定し、判定の結果、更新されている場合に、前記データ格納部に格納されている前記データを更新させる、データ同期部と、
を更に備えている、請求項１に記載のアプリケーション管理装置。
【請求項３】
前記リソース管理部が、
前記オフラインＷｅｂアプリケーションの削除が指示された場合に、
削除が指示された前記オフラインＷｅｂアプリケーションのリソースを前記リソース格納部から削除し、
削除が指示された前記オフラインＷｅｂアプリケーションによって作成又は使用されたデータを、前記データ格納部から削除する、
請求項１または２に記載のアプリケーション管理装置。
【請求項４】
オフラインＷｅｂアプリケーションを管理するための方法であって、
（ａ）Ｗｅｂサーバから、前記オフラインＷｅｂアプリケーションのリソースを取得する、ステップと、
（ｂ）前記（ａ）のステップで取得したリソースを用いて前記オフラインＷｅｂアプリケーションを実行する、ステップと、
（ｃ）前記（ａ）のステップで取得された前記リソースを格納する、ステップと、
（ｄ）前記（ｃ）のステップで格納された前記リソースを管理する、ステップと、
を有する、ことを特徴とするアプリケーション管理方法。
【請求項５】
（ｅ）前記オフラインＷｅｂアプリケーションによって作成又は使用されたデータを格納する、ステップと、
（ｆ）前記Ｗｅｂサーバにおいて、前記（ｅ）のステップで格納された前記データに対応するデータが、更新されているかどうかを判定し、判定の結果、更新されている場合に、前記（ｅ）のステップで格納された前記データを更新させる、ステップと、
を更に有する、請求項４に記載のアプリケーション管理方法。
【請求項６】
（ｇ）前記オフラインＷｅｂアプリケーションの削除が指示された場合に、
削除が指示された前記オフラインＷｅｂアプリケーションのリソースを削除し、
削除が指示された前記オフラインＷｅｂアプリケーションによって作成又は使用されたデータを削除する、ステップを更に有する、
請求項４または５に記載のアプリケーション管理方法。
【請求項７】
コンピュータによって、オフラインＷｅｂアプリケーションを管理するためのプログラムを記録したコンピュータ読み取り可能な記録媒体であって、
前記コンピュータに、
（ａ）Ｗｅｂサーバから、前記オフラインＷｅｂアプリケーションのリソースを取得する、ステップと、
（ｂ）前記（ａ）のステップで取得したリソースを用いて前記オフラインＷｅｂアプリケーションを実行する、ステップと、
（ｃ）前記（ａ）のステップで取得された前記リソースを格納する、ステップと、
（ｄ）前記（ｃ）のステップで格納された前記リソースを管理する、ステップと、
を実行させる、命令を含むプログラムを記録しているコンピュータ読み取り可能な記録媒体。
【請求項８】
（ｅ）前記オフラインＷｅｂアプリケーションによって作成又は使用されたデータを格納する、ステップと、
（ｆ）前記Ｗｅｂサーバにおいて、前記（ｅ）のステップで格納された前記データに対応するデータが、更新されているかどうかを判定し、判定の結果、更新されている場合に、前記（ｅ）のステップで格納された前記データを更新させる、ステップと、
を前記コンピュータに実行させる命令を、前記プログラムが更に記録している、請求項７に記載のコンピュータ読み取り可能な記録媒体。
【請求項９】
（ｇ）前記オフラインＷｅｂアプリケーションの削除が指示された場合に、
削除が指示された前記オフラインＷｅｂアプリケーションのリソースを削除し、
削除が指示された前記オフラインＷｅｂアプリケーションによって作成又は使用されたデータを削除する、ステップを前記コンピュータに実行させる命令を、前記プログラムが更に記録している、請求項７または８に記載のコンピュータ読み取り可能な記録媒体。
【発明の詳細な説明】
【技術分野】
【０００１】
本発明は、携帯端末で実行されるアプリケーションプログラムを管理する、アプリケーション管理装置、アプリケーション管理方法、及びこれらを実現するためのプログラムを記録したコンピュータ読み取り可能な記録媒体に関する。
【背景技術】
【０００２】
近年、ネットワークの分野においては、ＨＴＭＬ５に注目が集まっている（例えば、特許文献１及び２参照。）。ＨＴＭＬ５は、Ｗｅｂページを記述するためのマークアップ言語であるＨＴＭＬの第５版であり、従来からのＨＴＭＬにはない新しい仕様が追加されている。【０００３】
具体的には、ＨＴＭＬ５では、音声を埋め込むためのａｕｄｉｏタグ、動画を埋め込むためのｖｉｄｅｏタグ、グラフィックスの描画を可能にするｃａｎｖａｓタグが追加されている。【０００４】
また、ＨＴＭＬ５には、上記に加えて、オフラインＷｅｂアプリケーション機能も追加されている。オフラインＷｅｂアプリケーションは、ネットワークの状態に関係無く使い続けることができるＷｅｂアプリケーションプログラムであり、端末側に格納されたリソースを使用して動作する。【０００５】
オフラインＷｅｂアプリケーション機能によれば、ユーザは、オフライン状態にある端末によって、Ｗｅｂアプリケーションを利用することが可能となる。このような特性から、急速に利用が増加しているスマートフォンにおいては、特に、ＨＴＭＬ５の更なる普及が望まれている。
【先行技術文献】
【特許文献】
【０００６】
【特許文献１】特開２０１１−１３４２５０号公報
【特許文献２】特開２０１０−１８１９４６号公報
【発明の概要】
【発明が解決しようとする課題】
【０００７】
ところで、Ｗｅｂアプリケーション機能によって端末側に格納されたリソースは、通常、暗号化されないで格納されている。更に、当該リソース保護するための措置も講じられていない状態にある。従って、使用者が端末を紛失した場合、端末自体が盗難にあった場合に、端末に格納されたリソースが、第３者によって簡単に取得されてしまう可能性がある。【０００８】
本発明の目的の一例は、上記問題を解消し、ＨＴＭＬ５のオフラインＷｅｂアプリケーションの利用時にキャッシュされた情報の漏洩を抑制し得る、アプリケーション管理装置、アプリケーション管理方法、及びコンピュータ読み取り可能な記録媒体を提供することにある。
【課題を解決するための手段】
【０００９】
上記目的を達成するため、本発明の一側面におけるアプリケーション管理装置は、オフラインＷｅｂアプリケーションを管理するための装置であって、
Ｗｅｂサーバから、前記オフラインＷｅｂアプリケーションのリソースを取得し、取得したリソースを用いて前記オフラインＷｅｂアプリケーションを実行する、Ｗｅｂアプリケーション実行部と、
前記Ｗｅｂアプリケーション実行部によって取得された前記リソースを格納する、リソース格納部と、
前記リソース格納部に格納された前記リソースを管理する、リソース管理部と、
を備えている、ことを特徴とする。【００１０】
また、上記目的を達成するため、本発明の一側面におけるアプリケーション管理方法は、オフラインＷｅｂアプリケーションを管理するための方法であって、
（ａ）Ｗｅｂサーバから、前記オフラインＷｅｂアプリケーションのリソースを取得する、ステップと、
（ｂ）前記（ａ）のステップで取得したリソースを用いて前記オフラインＷｅｂアプリケーションを実行する、ステップと、
（ｃ）前記（ａ）のステップで取得された前記リソースを格納する、ステップと、
（ｄ）前記（ｃ）のステップで格納された前記リソースを管理する、ステップと、
を有する、ことを特徴とする。【００１１】
更に、上記目的を達成するため、本発明の一側面におけるコンピュータ読み取り可能な記録媒体は、コンピュータによって、オフラインＷｅｂアプリケーションを管理するためのプログラムを記録したコンピュータ読み取り可能な記録媒体であって、
前記コンピュータに、
（ａ）Ｗｅｂサーバから、前記オフラインＷｅｂアプリケーションのリソースを取得する、ステップと、
（ｂ）前記（ａ）のステップで取得したリソースを用いて前記オフラインＷｅｂアプリケーションを実行する、ステップと、
（ｃ）前記（ａ）のステップで取得された前記リソースを格納する、ステップと、
（ｄ）前記（ｃ）のステップで格納された前記リソースを管理する、ステップと、
を実行させる、命令を含むプログラムを記録していることを特徴とする。
【発明の効果】
【００１２】
以上のように、本発明によれば、ＨＴＭＬ５のオフラインＷｅｂアプリケーションの利用時にキャッシュされた情報の漏洩を抑制することができる。
【図面の簡単な説明】
【００１３】
【図１】図１は、本発明の実施の形態におけるアプリケーション管理装置の構成を示すブロック図である。
【図２】図２は、図１に示すアプリケーション管理装置のオフラインＷｅｂアプリケーション登録時の動作を示すフロー図である。
【図３】図３は、図１に示すアプリケーション管理装置のオフラインＷｅｂアプリケーション利用時の動作を示すフロー図である。
【図４】図４は、図１に示すアプリケーション管理装置のオフラインＷｅｂアプリケーション削除時の動作を示すフロー図である。
【図５】図５は、本発明の実施の形態におけるアプリケーション管理装置を実現する通信端末の一例を示すブロック図である。
【発明を実施するための形態】
【００１４】
（実施の形態）
以下、本発明の実施の形態における、アプリケーション管理装置、アプリケーション管理方法、及びプログラムについて、図１〜図５を参照しながら説明する。
【００１５】
［装置構成］
最初に、本実施の形態におけるアプリケーション管理装置の構成について図１を用いて説明する。図１は、本発明の実施の形態におけるアプリケーション管理装置の構成を示すブロック図である。
【００１６】
図１に示す、本実施の形態におけるアプリケーション管理装置１０は、通信端末３０で利用されるオフラインＷｅｂアプリケーションを管理する装置である。本実施の形態では、アプリケーション管理装置１０は、通信端末３０のＯＳ（Operating System）上に後述するプログラムによって構築されている。また、通信端末３０の具体例としては、アプリケーションプログラムを実行できる、携帯電話、スマートフォン、タブレット型の情報機器等が挙げられる。
【００１７】
図１に示すように、アプリケーション管理装置１０は、Ｗｅｂアプリケーション実行部１１と、リソース格納部１２と、リソース管理部１３とを備えている。このうち、Ｗｅｂアプリケーション実行部１１は、Ｗｅｂサーバ４０から、オフラインＷｅｂアプリケーションのリソースを取得し、取得したリソースを用いてオフラインＷｅｂアプリケーションを実行する。
【００１８】
ここで、「オフラインＷｅｂアプリケーション」とは、ＨＴＭＬ５のオフラインＷｅｂアプリケーション機能によって、オフライン環境下で実行可能なアプリケーションプログラムをいう。また、Ｗｅｂサーバ４０は、オフラインＷｅｂアプリケーションのリソースをＷｅｂデータ４１として保持している。
【００１９】
また、リソース格納部１２は、Ｗｅｂアプリケーション実行部１１によって取得されたリソースを格納する。リソース格納部１２は、「オフラインＷｅｂアプリケーションキャッシュ」１２とも表記される。また、リソース管理部１３は、リソース格納部１２に格納されたリソースを管理する。
【００２０】
このように、本実施の形態においては、Ｗｅｂサーバ４０から取得されたオフラインＷｅｂアプリケーションのリソースは、全て、Ｗｅｂアプリケーション実行部１１によってリソース格納部１２に格納される。また、リソース格納部１２に格納されたオフラインＷｅｂアプリケーションのリソースは、リソース管理部１３によって一元管理される。
【００２１】
このため、アプリケーション管理装置１０へのアクセスに、パスワード等の制限を設定すれば、通信端末３０が第三者の手に渡っても、オフラインＷｅｂアプリケーションの利用時にキャッシュされた情報（リソース）に含まれる重要な情報が漏洩してしまう事態が回避される。
【００２２】
ここで、本実施の形態におけるアプリケーション管理装置１０の構成について更に具体的に説明する。
【００２３】
本実施の形態では、Ｗｅｂアプリケーション実行部１１は、Ｗｅｂブラウザ１６を備えており、Ｗｅｂブラウザ１６を用いて、Ｗｅｂサーバ４０にアクセスする。また、Ｗｅｂアプリケーション実行部１１は、オフラインＷｅｂアプリケーションのリソースを取得する際、まず、Ｗｅｂサーバ４０からマニフェストファイルを取得し、マニフェストファイルに従って、リソースを取得する。
【００２４】
また、図１に示すように、アプリケーション管理装置１０は、更に、データ格納部１４と、データ同期部１５とを備えている。データ格納部１４は、例えば、ＳＱＬｉｔｅと呼ばれるデータベースであり、オフラインＷｅｂアプリケーションによって作成又は使用されたデータを格納する。
【００２５】
データ同期部１５は、Ｗｅｂサーバ４０において、データ格納部１４に格納されているデータに対応するデータが、Ｗｅｂサーバ４０において更新されているかどうかを判定する。そして、データ同期部１５は、判定の結果、更新されている場合は、データ格納部１４に格納されているデータを更新させる。なお、Ｗｅｂサーバ４０において、当該データは、業務データ４２として保持されている。
【００２６】
また、リソース管理部１３は、本実施の形態では、オフラインＷｅｂアプリケーションの削除が指示されると、まず、削除が指示されたオフラインＷｅｂアプリケーションのリソースをリソース格納部１２から削除する。更に、リソース管理部１３は、削除が指示されたオフラインＷｅｂアプリケーションによって作成又は使用されたデータを、データ格納部１４から削除する。
【００２７】
［装置動作］
次に、本発明の実施の形態１におけるアプリケーション管理装置１０の動作について図２〜図４を用いて説明する。また、本実施の形態では、アプリケーション管理装置１０を動作させることによって、アプリケーション管理方法が実施される。よって、本実施の形態におけるアプリケーション管理方法の説明は、以下のアプリケーション管理装置１０の動作説明に代える。
【００２８】
［オフラインＷｅｂアプリケーションの登録］
最初に、アプリケーション管理装置１０に、オフラインＷｅｂアプリケーションを登録する際の動作について説明する。図２は、図１に示すアプリケーション管理装置のオフラインＷｅｂアプリケーション登録時の動作を示すフロー図である。
【００２９】
図２に示すように、まず、通信端末３０のユーザからの指示に従い、Ｗｅｂアプリケーション実行部１１は、オフラインＷｅｂアプリケーションを提供するＷｅｂサーバ４０のＵＲＬにアクセスする（ステップＡ１）。
【００３０】
次に、Ｗｅｂアプリケーション実行部１１は、Ｗｅｂブラウザ１６を起動させ（ステップＡ２）、Ｗｅｂブラウザ１６に、Ｗｅｂサーバ４０が用意しているＨＴＭＬファイルにアクセスさせる。
【００３１】
次に、Ｗｅｂアプリケーション実行部１１は、Ｗｅｂブラウザ１６によって、Ｗｅｂサーバ４０からオフラインＷｅｂアプリケーションのリソースを取得させる（ステップＡ３）。また、Ｗｅｂアプリケーション実行部１１は、取得されたリソースを、リソース格納部１２に格納させ、このことをリソース管理部１３に通知する。
【００３２】
更に、Ｗｅｂアプリケーション実行部１１は、リソースが取得されたオフラインＷｅｂアプリケーションで使用されるデータについては、データ格納部１４に格納させる。なお、Ｗｅｂサーバ４０が、オフラインＷｅｂアプリケーションについてマニフェストファイルを指定している場合は、ステップＡ３において、Ｗｅｂブラウザ１６は、指定されたマニフェストファイルを取得し、このマニフェストファイルに従ってリソースを取得する。
【００３３】
次に、リソース管理部１３は、リソース格納部１２に格納されたリソースを、管理対象として管理する（ステップＡ４）。具体的には、リソース管理部１３は、管理ファイル（図示せず）に、取得されたリソースに関する情報、例えば、アプリケーション名、取得日時、使用期限、サイズ等を記録する。
【００３４】
以上、ステップＡ１〜Ａ４の実行により、アプリケーション管理装置１０によって、新たなオフラインＷｅｂアプリケーションが管理されることになる。
【００３５】
［オフラインＷｅｂアプリケーションの利用］
次に、アプリケーション管理１０でオフラインＷｅｂアプリケーションを利用する際の動作について説明する。図３は、図１に示すアプリケーション管理装置のオフラインＷｅｂアプリケーション利用時の動作を示すフロー図である。
【００３６】
図３に示すように、まず、Ｗｅｂアプリケーション実行部１１は、通信端末３０のユーザが、オフラインＷｅｂアプリケーションの実行を指示すると、Ｗｅｂブラウザ１６を起動する（ステップＢ１）。
【００３７】
次に、Ｗｅｂアプリケーション実行部１１は、Ｗｅｂブラウザ１６によって、リソース格納部１２にアクセスさせ、指定されたオフラインＷｅｂアプリケーションのリソースの読み込みを実行させる（ステップＢ２）。
【００３８】
次に、Ｗｅｂアプリケーション実行部１１は、Ｗｅｂブラウザ１６によって、オフラインＷｅｂアプリケーションを実行させる（ステップＢ３）。例えば、リソースの読み込みが行なわれたオフラインＷｅｂアプリケーションが、特定のサイトでのオンラインを可能にするアプリケーションプログラムであるとすると、ユーザは、このアプリケーションプロブラムによってショッピングを行なうことができる。
【００３９】
次に、Ｗｅｂアプリケーション実行部１１は、ユーザから終了が指示されていないかどうかを判定する（ステップＢ４）。ステップＢ４の判定の結果、終了が指示されている場合は、Ｗｅｂアプリケーション実行部１１は、実行中のオフラインＷｅｂアプリケーションを終了させる。
【００４０】
一方、ステップＢ４の判定の結果、終了が指示されていない場合は、Ｗｅｂアプリケーション実行部１１は、Ｗｅｂサーバ４０へのアクセスが必要であるかどうかを判定する（ステップＢ５）。
【００４１】
具体的には、上述したように、オフラインＷｅｂアプリケーションが、特定のサイトでのオンラインショッピングを可能にするアプリケーションプログラムである場合は、特定のサイトでは購入可能な商品がアップデートされており、購入可能な商品のデータの更新が必要となる。従って、Ｗｅｂアプリケーション実行部１１は、実行中のオフラインＷｅｂアプリケーションが、このような更新が必要なアプリケーションプログラムである場合は、アクセスが必要であると判定する。
【００４２】
ステップＢ５の結果、アクセスが必要でない場合は、ウェブアプリケーション実行部１１は、再度ステップＢ３を実行する。一方、ステップＢ５の結果、アクセスが必要である場合は、ステップＢ６が実行される。
【００４３】
ステップＢ６では、データ同期部１５は、Ｗｅｂサーバ４０において、データ格納部１４に格納されているデータに対応するデータが、Ｗｅｂサーバ４０において更新されているかどうかを判定する。ステップＢ６の判定の結果、更新されていない場合は、データの同期が必要ないので、再度ステップＢ３が実行される。
【００４４】
一方、ステップＢ６の判定の結果、更新されている場合は、データ同期部１５は、Ｗｅｂサーバ４０の業務データ４２から、更新されているデータを取得し、これを用いて、データ格納部１４に格納されているデータを更新する（ステップＢ７）。
【００４５】
例えば、上述のオンラインショッピング用のアプリケーションプログラムの場合は、購入可能な商品のデータが、更新される。また、データ同期部１５は、アプリケーション管理装置１０側のデータが、Ｗｅｂサーバ４０の業務データ４２よりも新しい場合は、Ｗｅｂサーバ４０に更新を指示することもできる。
【００４６】
以上、ステップＢ１〜Ｂ７の実行により、ユーザは、オフラインＷｅｂアプリケーションを利用することができる。また、ステップＢ１〜Ｂ７は、ユーザが終了を指示するまで繰り返し実行される。
【００４７】
［オフラインＷｅｂアプリケーションの削除］
次に、アプリケーション管理１０からオフラインＷｅｂアプリケーションを削除する際の動作について説明する。図４は、図１に示すアプリケーション管理装置のオフラインＷｅｂアプリケーション削除時の動作を示すフロー図である。
【００４８】
最初に、図４に示すように、リソース関連部１３は、通信端末３０のユーザから、特定のオフラインＷｅｂアプリケーションを削除する旨の指示を受付ける（ステップＣ１）。
【００４９】
次に、リソース管理部１３は、リソース格納部１２にアクセスし、指示されたオフラインＷｅｂアプリケーションのリソースを特定し、これを削除する（ステップＣ２）。このとき、削除が指示されたオフラインＷｅｂアプリケーションについて、マニフェストファイルがある場合は、リソース管理部１３は、マニフェストファイルに従って、リソースを削除する。
【００５０】
次に、リソース管理部１３は、データ格納部１４にアクセスし、指示されたオフラインＷｅｂアプリケーションで作成又は使用されるデータを特定し、特定したデータを削除する（ステップＣ３）。このときも、マニフェストファイルがある場合は、リソース管理部１３は、マニフェストファイルに従って、データを削除する。
【００５１】
以上、ステップＣ１〜Ｃ３の実行により、ユーザは、削除を希望するオフラインＷｅｂアプリケーションを確実に削除することができる。また、ユーザは、削除を希望する２以上のオフラインＷｅｂアプリケーションを指定することもでき、この場合は、２以上のオフラインＷｅｂアプリケーションが一度に削除される。
【００５２】
以上のように本実施の形態では、オフラインＷｅｂアプリケーションは一元管理される。また、データの更新も、一元管理されるので、全てのオフラインＷｅｂアプリケーションを簡単に最新の状態にすることができる。更に、削除を希望するオフラインＷｅｂアプリケーションの確実な削除も可能となる。
【００５３】
［プログラム］
本実施の形態におけるプログラムは、アプリケーションプログラムを実行可能な通信端末に、図２に示すステップＡ１〜Ａ４、図３に示すステップＢ１〜Ｂ７、図４に示すステップＣ１〜Ｃ３を実行させるプログラムであれば良い。この場合、通信端末は、内部にコンピュータを備えており、このプログラムを通信端末にインストールし、内部のコンピュータによって実行することによって、本実施の形態におけるアプリケーション管理装置１０とアプリケーション管理方法とを実現することができる。そして、通信端末のＣＰＵ（Central Processing Unit）は、Ｗｅｂアプリケーション実行部１１、データ同期部１５、及びリソース管理部１３として機能し、処理を行なう。また、本実施の形態では、通信端末に備えられた記憶装置が、リソース格納部１２，データ格納部１４として機能する。
【００５４】
［通信端末］
ここで、本実施の形態におけるプログラムを実行することによって、アプリケーション管理装置を実現する通信端末について図５を用いて説明する。図５は、本発明の実施の形態におけるアプリケーション管理装置を実現する通信端末の一例を示すブロック図である。
【００５５】
図５に示すように、通信端末３０は、ＣＰＵ３１と、メモリ３２と、ディスプレイ３３と、記憶媒体３４と、通信モジュール３５と、タッチパネル３６とを備える。これらの各部は、バス３７を介して、互いにデータ通信可能に接続される。
【００５６】
ＣＰＵ３１は、記憶装置３４に格納された、本実施の形態におけるプログラム（コード）をメモリ３２に展開し、これらを所定順序で実行することにより、各種の演算を実施する。メモリ３２は、典型的には、ＤＲＡＭ（Dynamic Random Access Memory）等の揮発性のメモリである。
【００５７】
また、本実施の形態におけるプログラムは、コンピュータ読み取り可能な記録媒体に格納された状態で提供されても良いし、通信モジュール３５を介して接続されたインターネット上から送信されても良い。記録媒体の具体例としては、ＣＦ（Compact Flash（登録商標））及びＳＤ（Secure Digital）等の汎用的な半導体記憶デバイスが挙げられる。
【００５８】
また、記憶装置３４の具体例としては、ハードディスク、フラッシュメモリ等の半導体記憶装置が挙げられる。タッチパネル３６は、ユーザの入力を受け付ける入力機器である。ディスプレイ３３は、液晶表示装置等の表示装置である。通信モジュール３５は、無線ＬＡＮによる通信、携帯電話網を利用した通信を実現するための機器である。
【００５９】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００６０】
この出願は、２０１１年９月２２日に出願された日本出願特願２０１１−２０７４０６を基礎とする優先権を主張し、その開示の全てをここに取り込む。
【００６１】
また、本願発明における、アプリケーション管理装置、アプリケーション管理方法、及びコンピュータ読み取り可能な記録媒体は、以下の特徴を有する。
【００６２】
（１）オフラインＷｅｂアプリケーションを管理するための装置であって、
Ｗｅｂサーバから、前記オフラインＷｅｂアプリケーションのリソースを取得し、取得したリソースを用いて前記オフラインＷｅｂアプリケーションを実行する、Ｗｅｂアプリケーション実行部と、
前記Ｗｅｂアプリケーション実行部によって取得された前記リソースを格納する、リソース格納部と、
前記リソース格納部に格納された前記リソースを管理する、リソース管理部と、
を備えている、ことを特徴とするアプリケーション管理装置。
【００６３】
（２）前記オフラインＷｅｂアプリケーションによって作成又は使用されたデータを格納する、データ格納部と、
前記Ｗｅｂサーバにおいて、前記データ格納部に格納されている前記データに対応するデータが、更新されているかどうかを判定し、判定の結果、更新されている場合に、前記データ格納部に格納されている前記データを更新させる、データ同期部と、
を更に備えている、上記（１）に記載のアプリケーション管理装置。
【００６４】
（３）前記リソース管理部が、
前記オフラインＷｅｂアプリケーションの削除が指示された場合に、
削除が指示された前記オフラインＷｅｂアプリケーションのリソースを前記リソース格納部から削除し、
削除が指示された前記オフラインＷｅｂアプリケーションによって作成又は使用されたデータを、前記データ格納部から削除する、
上記（１）に記載のアプリケーション管理装置。
【００６５】
（４）オフラインＷｅｂアプリケーションを管理するための方法であって、
（ａ）Ｗｅｂサーバから、前記オフラインＷｅｂアプリケーションのリソースを取得する、ステップと、
（ｂ）前記（ａ）のステップで取得したリソースを用いて前記オフラインＷｅｂアプリケーションを実行する、ステップと、
（ｃ）前記（ａ）のステップで取得された前記リソースを格納する、ステップと、
（ｄ）前記（ｃ）のステップで格納された前記リソースを管理する、ステップと、
を有する、ことを特徴とするアプリケーション管理方法。
【００６６】
（５）（ｅ）前記オフラインＷｅｂアプリケーションによって作成又は使用されたデータを格納する、ステップと、
（ｆ）前記Ｗｅｂサーバにおいて、前記（ｅ）のステップで格納された前記データに対応するデータが、更新されているかどうかを判定し、判定の結果、更新されている場合に、前記（ｅ）のステップで格納された前記データを更新させる、ステップと、
を更に有する、上記（４）に記載のアプリケーション管理方法。
【００６７】
（６）（ｇ）前記オフラインＷｅｂアプリケーションの削除が指示された場合に、
削除が指示された前記オフラインＷｅｂアプリケーションのリソースを削除し、
削除が指示された前記オフラインＷｅｂアプリケーションによって作成又は使用されたデータを削除する、ステップを更に有する、
上記（４）に記載のアプリケーション管理方法。
【００６８】
（７）コンピュータによって、オフラインＷｅｂアプリケーションを管理するためのプログラムを記録したコンピュータ読み取り可能な記録媒体であって、
前記コンピュータに、
（ａ）Ｗｅｂサーバから、前記オフラインＷｅｂアプリケーションのリソースを取得する、ステップと、
（ｂ）前記（ａ）のステップで取得したリソースを用いて前記オフラインＷｅｂアプリケーションを実行する、ステップと、
（ｃ）前記（ａ）のステップで取得された前記リソースを格納する、ステップと、
（ｄ）前記（ｃ）のステップで格納された前記リソースを管理する、ステップと、
を実行させる、命令を含むプログラムを記録しているコンピュータ読み取り可能な記録媒体。
【００６９】
（８）（ｅ）前記オフラインＷｅｂアプリケーションによって作成又は使用されたデータを格納する、ステップと、
（ｆ）前記Ｗｅｂサーバにおいて、前記（ｅ）のステップで格納された前記データに対応するデータが、更新されているかどうかを判定し、判定の結果、更新されている場合に、前記（ｅ）のステップで格納された前記データを更新させる、ステップと、
を前記コンピュータに実行させる命令を、前記プログラムが更に記録している、上記（７）に記載のコンピュータ読み取り可能な記録媒体。
【００７０】
（９）（ｇ）前記オフラインＷｅｂアプリケーションの削除が指示された場合に、
削除が指示された前記オフラインＷｅｂアプリケーションのリソースを削除し、
削除が指示された前記オフラインＷｅｂアプリケーションによって作成又は使用されたデータを削除する、ステップを前記コンピュータに実行させる命令を、前記プログラムが更に記録している、上記（７）に記載のコンピュータ読み取り可能な記録媒体。
【産業上の利用可能性】
【００７１】
以上のように、本発明によれば、ＨＴＭＬ５のオフラインＷｅｂアプリケーションの利用時にキャッシュされた情報の漏洩を抑制することができる。本発明は、携帯電話、スマートフォン、タブレット型の情報機器等に有用である。
【符号の説明】
【００７２】
１０  アプリケーション管理装置
１１  アプリケーション実行部
１２  リソース格納部
１３  リソース管理部
１４  データ格納部
１５  データ同期部
１６  Ｗｅｂブラウザ
２０  ＯＳ
３０  通信端末
３１  ＣＰＵ
３２  メモリ
３３  ディスプレイ
３４  記憶装置
３５  通信モジュール
３６  タッチパネル
３７  バス
４０  Ｗｅｂサーバ
４１  Ｗｅｂデータ
４２  業務データ
【図１】
2013042411.tif 000003
【図２】
2013042411.tif 000004
【図３】
2013042411.tif 000005
【図４】
2013042411.tif 000006
【図５】
2013042411.tif 000007
【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
オフラインＷｅｂアプリケーションを管理するための装置であって、
Ｗｅｂサーバから、前記オフラインＷｅｂアプリケーションのリソースを取得し、取得したリソースを用いて前記オフラインＷｅｂアプリケーションを実行する、Ｗｅｂアプリケーション実行部と、
前記Ｗｅｂアプリケーション実行部によって取得された前記リソースを格納する、リソース格納部と、
前記リソース格納部に格納された前記リソースを管理する、リソース管理部と、
を備えている、ことを特徴とするアプリケーション管理装置。
【請求項２】
前記オフラインＷｅｂアプリケーションによって作成又は使用されたデータを格納する、データ格納部と、
前記Ｗｅｂサーバにおいて、前記データ格納部に格納されている前記データに対応するデータが、更新されているかどうかを判定し、判定の結果、更新されている場合に、前記データ格納部に格納されている前記データを更新させる、データ同期部と、
を更に備えている、請求項１に記載のアプリケーション管理装置。
【請求項３】
前記リソース管理部が、
前記オフラインＷｅｂアプリケーションの削除が指示された場合に、
削除が指示された前記オフラインＷｅｂアプリケーションのリソースを前記リソース格納部から削除し、
削除が指示された前記オフラインＷｅｂアプリケーションによって作成又は使用されたデータを、前記データ格納部から削除する、
請求項１または２に記載のアプリケーション管理装置。
【請求項４】
オフラインＷｅｂアプリケーションを管理するための方法であって、
（ａ）Ｗｅｂサーバから、前記オフラインＷｅｂアプリケーションのリソースを取得する、ステップと、
（ｂ）前記（ａ）のステップで取得したリソースを用いて前記オフラインＷｅｂアプリケーションを実行する、ステップと、
（ｃ）前記（ａ）のステップで取得された前記リソースを格納する、ステップと、
（ｄ）前記（ｃ）のステップで格納された前記リソースを管理する、ステップと、
を有する、ことを特徴とするアプリケーション管理方法。
【請求項５】
（ｅ）前記オフラインＷｅｂアプリケーションによって作成又は使用されたデータを格納する、ステップと、
（ｆ）前記Ｗｅｂサーバにおいて、前記（ｅ）のステップで格納された前記データに対応するデータが、更新されているかどうかを判定し、判定の結果、更新されている場合に、前記（ｅ）のステップで格納された前記データを更新させる、ステップと、
を更に有する、請求項４に記載のアプリケーション管理方法。
【請求項６】
（ｇ）前記オフラインＷｅｂアプリケーションの削除が指示された場合に、
削除が指示された前記オフラインＷｅｂアプリケーションのリソースを削除し、
削除が指示された前記オフラインＷｅｂアプリケーションによって作成又は使用されたデータを削除する、ステップを更に有する、
請求項４または５に記載のアプリケーション管理方法。
【請求項７】
コンピュータによって、オフラインＷｅｂアプリケーションを管理するためのプログラムであって、
前記コンピュータに、
（ａ）Ｗｅｂサーバから、前記オフラインＷｅｂアプリケーションのリソースを取得する、ステップと、
（ｂ）前記（ａ）のステップで取得したリソースを用いて前記オフラインＷｅｂアプリケーションを実行する、ステップと、
（ｃ）前記（ａ）のステップで取得された前記リソースを格納する、ステップと、
（ｄ）前記（ｃ）のステップで格納された前記リソースを管理する、ステップと、
を実行させる、プログラム。
【請求項８】
（ｅ）前記オフラインＷｅｂアプリケーションによって作成又は使用されたデータを格納する、ステップと、
（ｆ）前記Ｗｅｂサーバにおいて、前記（ｅ）のステップで格納された前記データに対応するデータが、更新されているかどうかを判定し、判定の結果、更新されている場合に、前記（ｅ）のステップで格納された前記データを更新させる、ステップと、
を更に前記コンピュータに実行させる、請求項７に記載のプログラム。
【請求項９】
（ｇ）前記オフラインＷｅｂアプリケーションの削除が指示された場合に、
削除が指示された前記オフラインＷｅｂアプリケーションのリソースを削除し、
削除が指示された前記オフラインＷｅｂアプリケーションによって作成又は使用されたデータを削除する、ステップを更に前記コンピュータに実行させる、請求項７または８に記載のプログラム。
【手続補正３】
【補正対象書類名】明細書
【補正対象項目名】０００１
【補正方法】変更
【補正の内容】
【０００１】
本発明は、携帯端末で実行されるアプリケーションプログラムを管理する、アプリケーション管理装置、アプリケーション管理方法、及びこれらを実現するためのプログラムに関する。
【手続補正４】
【補正対象書類名】明細書
【補正対象項目名】０００８
【補正方法】変更
【補正の内容】
【０００８】
本発明の目的の一例は、上記問題を解消し、ＨＴＭＬ５のオフラインＷｅｂアプリケーションの利用時にキャッシュされた情報の漏洩を抑制し得る、アプリケーション管理装置、アプリケーション管理方法、及びプログラムを提供することにある。
【手続補正５】
【補正対象書類名】明細書
【補正対象項目名】００１１
【補正方法】変更
【補正の内容】
【００１１】
更に、上記目的を達成するため、本発明の一側面におけるプログラムは、コンピュータによって、オフラインＷｅｂアプリケーションを管理するためのプログラムであって、
前記コンピュータに、
（ａ）Ｗｅｂサーバから、前記オフラインＷｅｂアプリケーションのリソースを取得する、ステップと、
（ｂ）前記（ａ）のステップで取得したリソースを用いて前記オフラインＷｅｂアプリケーションを実行する、ステップと、
（ｃ）前記（ａ）のステップで取得された前記リソースを格納する、ステップと、
（ｄ）前記（ｃ）のステップで格納された前記リソースを管理する、ステップと、
を実行させる、ことを特徴とする。
【手続補正６】
【補正対象書類名】明細書
【補正対象項目名】００６１
【補正方法】変更
【補正の内容】
【００６１】
また、本願発明における、アプリケーション管理装置、アプリケーション管理方法、及びプログラムは、以下の特徴を有する。
【手続補正７】
【補正対象書類名】明細書
【補正対象項目名】００６８
【補正方法】変更
【補正の内容】
【００６８】
（７）コンピュータによって、オフラインＷｅｂアプリケーションを管理するためのプログラムであって、
前記コンピュータに、
（ａ）Ｗｅｂサーバから、前記オフラインＷｅｂアプリケーションのリソースを取得する、ステップと、
（ｂ）前記（ａ）のステップで取得したリソースを用いて前記オフラインＷｅｂアプリケーションを実行する、ステップと、
（ｃ）前記（ａ）のステップで取得された前記リソースを格納する、ステップと、
（ｄ）前記（ｃ）のステップで格納された前記リソースを管理する、ステップと、
を実行させる、プログラム。
【手続補正８】
【補正対象書類名】明細書
【補正対象項目名】００６９
【補正方法】変更
【補正の内容】
【００６９】
（８）（ｅ）前記オフラインＷｅｂアプリケーションによって作成又は使用されたデータを格納する、ステップと、
（ｆ）前記Ｗｅｂサーバにおいて、前記（ｅ）のステップで格納された前記データに対応するデータが、更新されているかどうかを判定し、判定の結果、更新されている場合に、前記（ｅ）のステップで格納された前記データを更新させる、ステップと、
を更に前記コンピュータに実行させる、上記（７）に記載のプログラム。
【手続補正９】
【補正対象書類名】明細書
【補正対象項目名】００７０
【補正方法】変更
【補正の内容】
【００７０】
（９）（ｇ）前記オフラインＷｅｂアプリケーションの削除が指示された場合に、
削除が指示された前記オフラインＷｅｂアプリケーションのリソースを削除し、
削除が指示された前記オフラインＷｅｂアプリケーションによって作成又は使用されたデータを削除する、ステップを更に前記コンピュータに実行させる、上記（７）に記載のプログラム。
【国際調査報告】
2013042411.tif 000008
2013042411.tif 000009